(57)【特許請求の範囲】
【請求項１】
編集装置で作成された表示データや、表示データの表示形態に関するコマンドおよび表示スケジュールに関するコマンドに従って表示データの出力制御を行う表示プログラムを通信回線を使用して編集装置から表示装置に送信し、送信された表示データ及び表示プログラムに従って表示を行う表示装置において、
前記編集装置との間で表示データ及び表示プログラムの通信を行う送受信部と、
該送受信部で受信した表示データ及び表示プログラムを記憶する記憶部と、
該記憶部に記憶された表示データに基づいて発光素子を発光させることで文字や図形等を表示する表示部と、
前記編集装置から送信された表示データ及び表示プログラムを前記記憶部の所定領域へ書き込む制御を行うと共に、前記記憶部に記憶された表示プログラムの実行制御を行う制御部と、を備え、
表示データ及び表示プログラムには前記編集装置によって識別コードが付与され、表示装置には前記送受信部に送信されてきた表示データ及び表示プログラムの識別コードと前記記憶部に記憶されている表示データ及び表示プログラムの識別コードとを比較判別する比較部を備え、該比較部によって前記記憶部に記憶されている表示データ及び表示プログラムを更新する必要があるかを判別し、更新が必要な場合のみ前記送受信部に送信されてきた表示データあるいは表示プログラムを前記記憶部の所定の領域に書き込むことを特徴とする表示装置。
【請求項２】
請求項１記載の表示装置において、前記記憶部に表示データ及び表示プログラムが記憶されているか否かを検出するプログラム検出部を備え、該プログラム検出部によって表示データあるいは表示プログラムが記憶されていないことが検出されると、前記編集装置に対して所定のエラー信号を送信することを特徴とする表示装置。
【発明の詳細な説明】
【０００１】
【産業上の利用分野】
本発明は、文字あるいは図形等を表示部に発光表示する表示装置に関する。
【０００２】
【従来の技術】
従来から知られている発光素子を複数発光させて文字あるいは図形情報を発光表示するＬＥＤ表示装置は、表示装置本体内の記憶部であるＥＰＲＯＭに表示プログラム及び制御プログラムを予め記憶させておき、文字あるいは図形等の表示データはパソコン等の編集装置によって書き込まれたメモリーカードを表示装置に備えられたソケットに装着し、メモリーカードから表示プログラムに従って順次呼び出され表示部に表示させているか、あるいはメモリーカードに書き込まれた表示データを表示装置内の記憶部であるフラッシュメモリに書き込みフラッシュメモリから表示プログラムに従って順次呼び出され表示部に表示させるようにしている。このような表示装置は不特定多数の人目に触れるように屋外の高所に設置してあるものがほとんどである。また、表示データを電話回線等の通信回線を利用して遠隔地にある表示装置に送信し表示部に表示させるようにしているものもある。
【０００３】
【発明が解決しようとする課題】
このような従来の表示装置では、ＥＰＲＯＭに記憶された表示プログラムを更新する場合に表示装置本体の筐体を開封し表示装置本体内の基板のＥＰＲＯＭを新規のものと交換しなければならなく、高所に設置してある表示装置のメンテナンスには非常に時間と手間のかかることであるうえに危険の伴うことである。また、表示プログラムを更新する台数分の交換用ＥＰＲＯＭを用意しないとならないため非常にコストがかかることである。さらに、遠隔地にある表示装置は表示データの更新は通信回線を利用することで更新が可能ではあるが表示プログラムの更新は上記表示装置同様に表示装置本体の筐体を開封し表示装置本体内の基板のＥＰＲＯＭを新規のものと交換しなければならなく現地まで行く必要があった。
本発明では表示プログラム更新等のメンテナンス性・安全性を向上させると共にコストを削減した表示装置を提供する。
【０００４】
【課題を解決するための手段】
（１）上記課題を解決するため、本発明は、編集装置で作成された表示データや、表示データの表示形態に関するコマンドおよび表示スケジュールに関するコマンドに従って表示データの出力制御を行う表示プログラムを通信回線を使用して編集装置から表示装置に送信し、送信された表示データ及び表示プログラムに従って表示を行う表示装置において、前記編集装置との間で表示データ及び表示プログラムの通信を行う送受信部と、該送受信部で受信した表示データ及び表示プログラムを記憶する記憶部と、該記憶部に記憶された表示データに基づいて発光素子を発光させることで文字や図形等を表示する表示部と、前記編集装置から送信された表示データ及び表示プログラムを前記記憶部の所定領域へ書き込む制御を行うと共に、前記記憶部に記憶された表示プログラムの実行制御を行う制御部と、を備え、表示データ及び表示プログラムには前記編集装置によって識別コードが付与され、表示装置には前記送受信部に送信されてきた表示データ及び表示プログラムの識別コードと前記記憶部に記憶されている表示データ及び表示プログラムの識別コードとを比較判別する比較部を備え、該比較部によって前記記憶部に記憶されている表示データ及び表示プログラムを更新する必要があるかを判別し、更新が必要な場合のみ前記送受信部に送信されてきた表示データあるいは表示プログラムを前記記憶部の所定の領域に書き込むことを特徴とする表示装置を提案する。
【０００５】
（２）上記提案の表示装置は、前記記憶部に表示データ及び表示プログラムが記憶されているか否かを検出するプログラム検出部を備え、該プログラム検出部によって表示データあるいは表示プログラムが記憶されていないことが検出されると、前記編集装置に対して所定のエラー信号を送信することが望ましい。
【００１０】
【作用】
この発明では、従来の表示装置のようにＥＰＲＯＭに予め表示プログラムを記憶させるのではなく、通信回線を使用して表示装置本体内の記憶部に記憶させ、記憶部に記憶された表示プログラムを実行することで表示データを表示部に表示するようにしたため、表示プログラムを更新時に表示装置本体の筐体を開封し表示装置本体内の基板のＥＰＲＯＭを新規のものと交換する作業をなくすことができ、高所に設置されている表示装置の表示プログラム更新を安全且つ容易に行うことができると共に遠隔地にある表示装置まで行かなくとも表示プログラムの更新を可能とできる。
【００１１】
また、交換に使用する新規のＥＰＲＯＭを用意する必要がなくなり交換用ＥＰＲＯＭのコストを削減することができる。
【００１２】
さらに、受信検出部、内容判別部を備えたことで編集装置から表示データあるいは表示プログラムを表示装置に送信するだけで、表示装置では受信を開始し送信内容に応じた記憶部の所定の領域に書き込みを行うようにしたため、自動的に表示プログラムあるいは表示データの更新を行うことができる。
【００１３】
さらにまた、比較部を備え送信された表示プログラム及び表示データの識別コードと記憶部に記憶された表示プログラム及び表示データの識別コードとを比較判別を行い更新が必要と判断された場合のみ更新を行うようにしたことで、間違った表示プログラムあるいは表示データを送信をしてしまった場合などの更新を防止することできる。
【００１４】
また、プログラム検出部を備え記憶部に表示プログラムあるいは表示データいずれか一方でも記憶部に記憶されていない場合に記憶されていない内容に応じて所定の信号を編集装置に送信するようにしたため、高所に設置されている表示装置であっても遠隔地に設置されている表示装置であっても編集装置で認識することができる。
【００１５】
さらに、記憶部を表示部に表示するための表示プログラム及び表示データを記憶する実行用プログラム領域、データ領域と前記編集装置から送信された表示プログラム及び表示データを記憶する一時格納用プログラム領域、データ領域に分割し、編集装置から送信された表示プログラム及び表示データを一時格納用領域に記憶させておき実行用プログラム領域の表示プログラム終了時に一時格納領域から実行用領域に移動させることにより表示プログラム及び表示データが更新を行うようにしたことにより、表示プログラム実行中に表示プログラムあるいは表示データの送信を行っても表示部の表示を中断することなく更新作業を行うことができる。
【００１６】
【実施例】
以下、図面を基に、本発明の実施例について説明する。図１は本発明の実施例に係わる説明図、図２は本発明の実施例に係わるブロック図、図３は本発明の実施例に係わるフローチャートである。
【００１７】
本発明の実施例を図１〜図３に基づいて説明する。１は文字あるいは図形等の表示データや表示データに付随した表示データのスクロールや反転表示等の表示形態、表示データの表示時刻等のコマンドに従って表示データの出力制御を行う表示プログラムを作成する編集装置、２は表示データ及び表示プログラムを送受信する電話回線等の通信回線、３は内部に発光ダイオード（ＬＥＤ）をマトリックス状に配列したＬＥＤパネルで形成された表示部４、編集装置１と通信回線２により表示データや表示プログラムの通信を行うモデム等の送受信部５、送受信部５で受信した表示データ及び表示プログラムを記憶する記憶部であるフラッシュメモリ６、フラッシュメモリ６への表示データ及び表示プログラムの書き込み制御を行うと共にフラッシュメモリ６に記憶された表示プログラムの実行制御を行う制御部７を備えた表示装置である。
【００１８】
制御部７には送受信部５に表示データあるいは表示プログラムが送信されてきているかを検出する受信検出部８、送信された内容が表示プログラムであるのか表示データなのかを判別する内容判別部９、送信された表示プログラム及び表示データの識別コードとフラッシュメモリ６に記憶された表示プログラム及び表示データの識別コードとを比較判別する比較部１０、フラッシュメモリ６に表示プログラム及び表示データが記憶されているか否かを検出するプログラム検出部１１が備えられている。
【００１９】
識別コードは表示データ及び表示プログラムを作成するパソコン等の編集装置１でそれぞれ個別に付与され比較部１０での比較判別の際に表示プログラムであるのか表示データであるのかの判別に使用されると共に更新が必要な表示プログラム及び表示データであるのかが判別される。
【００２０】
フラッシュメモリ６内は実行用の表示プログラム、表示データを格納するプログラム用エリア、表示データ用エリアと一時格納用の表示プログラム、表示データを格納するプログラム用エリア、表示データ用エリアに分割されており、通信回線２により送信された表示データや表示プログラムは一時格納用エリアに格納された後、実行用エリアの表示プログラム終了時に制御部の実行命令に従って実行用エリアに移動される。
【００２１】
次に図３のフローチャートを基に表示動作について説明する。制御部７は受信検出部８にて編集装置１から送受信部に表示プログラムあるいは表示データが送信されてきているか否かを検出すると同時にプログラム検出部１１によりフラッシュメモリ６の実行用エリアに表示プログラム及び表示データが記憶されているか否かを検出し、それぞれの検出結果に応じて命令を出す。受信検出部８の検出結果で表示プログラムあるいは表示データの送信が検出された場合は内容判別部９にて送信されてきた内容が表示プログラムであるのか表示データなのかを判別すると共に送信された表示プログラムあるいは表示データの識別コードとフラッシュメモリ６内の実行用エリアに記憶されている表示プログラムあるいは表示データの識別コードを比較部１０で比較を行い更新が必要と判断されるとフラッシュメモリ内の一時格納用エリアに表示プログラムあるいは表示データの書き込みを行う。制御部７は実行用エリアの表示プログラムが終了すると一時格納用エリアに書き込まれた表示プログラムあるいは表示データをフラッシュメモリ６内の実行用エリアに移動させる。表示プログラムあるいは表示データの移動が終了すると制御部７は実行用エリアの表示プログラムに対して実行命令を出力する。実行命令を受けた表示プログラムはプログラムを実行し表示データに付随した表示データの表示時刻等の表示スケジュールのコマンドに従ってフラッシュメモリ６内の実行用エリアから表示データを呼び出しスクロールや反転表示等の表示形態のコマンドに従って表示データの出力制御を行い表示部４に表示させる。
【００２２】
また、送受信検出部８の検出結果で表示プログラムあるいは表示データの送信が検出されなかった場合には、フラッシュメモリ６内の実行用エリアの表示プログラムに対して実行命令を出力し、実行命令を受けた表示プログラムはプログラムを実行し表示データに付随した表示データの表示時刻等の表示スケジュールのコマンドに従ってフラッシュメモリ６内の実行用エリアから表示データを呼び出しスクロールや反転表示等の表示形態のコマンドに従って表示データの出力制御を行い表示部４に表示させる。しかし、プログラム検出部１１により表示プログラムあるいは表示データいずれか一方でもフラッシュメモリ６内の実行用エリアに記憶されていないと検出された場合は、一時格納用エリアの検出を行い一時格納用エリアに実行用エリアに記憶されていないと検出された表示プログラムあるいは表示データが存在する場合は一時格納用エリアから実行用エリアに移動し、実行命令を受けた表示プログラムはプログラムを実行し表示データに付随した表示データの表示時刻等の表示スケジュールのコマンドに従ってフラッシュメモリ６内の実行用エリアから表示データを呼び出しスクロールや反転表示等の表示形態のコマンドに従って表示データの出力制御を行い表示部４に表示させる。また、一時格納用エリアに実行用エリアに記憶されていないと検出された表示プログラムあるいは表示データが存在しなかった場合は、表示プログラム及び表示データに定められた所定のエラー信号を編集装置１に対して送信し、表示プログラムあるいは表示データがフラッシュメモリ６内のどのエリアにも記憶されていないことを通知する。
【００２３】
また、本実施例では表示部３をＬＥＤで形成されるパネルで説明したがこれに限定されるものではなく液晶パネル等であってもよい。
【００２４】
【発明の効果】
この発明では、従来の表示装置のようにＥＰＲＯＭに予め表示プログラムを記憶させるのではなく、通信回線を使用して表示装置本体内の記憶部に記憶させ、記憶部に記憶された表示プログラムを実行することで表示データを表示部に表示するようにしたため、表示プログラムを更新時に表示装置本体の筐体を開封し表示装置本体内の基板のＥＰＲＯＭを新規のものと交換する作業をなくすことができ、高所に設置されている表示装置の表示プログラム更新を安全且つ容易に行うことができると共に遠隔地にある表示装置まで行かなくとも表示プログラムの更新を可能とできる。
【００２５】
また、交換に使用する新規のＥＰＲＯＭを用意する必要がなくなり交換用ＥＰＲＯＭのコストを削減することができる。
【００２６】
さらに、受信検出部、内容判別部を備えたことで編集装置から表示データあるいは表示プログラムを表示装置に送信するだけで、表示装置では受信を開始し送信内容に応じた記憶部の所定の領域に書き込みを行うようにしたため、自動的に表示プログラムあるいは表示データの更新を行うことができる。
【００２７】
さらにまた、比較部を備え送信された表示プログラム及び表示データの識別コードと記憶部に記憶された表示プログラム及び表示データの識別コードとを比較判別を行い更新が必要と判断された場合のみ更新を行うようにしたことで、間違った表示プログラムあるいは表示データを送信をしてしまった場合などの更新を防止することできる。
【００２８】
また、プログラム検出部を備え記憶部に表示プログラムあるいは表示データいずれか一方でも記憶部に記憶されていない場合に記憶されていない内容に応じて所定の信号を編集装置に送信するようにしたため、高所に設置されている表示装置であっても遠隔地に設置されている表示装置であっても編集装置で認識することができる。
【００２９】
さらに、記憶部を表示部に表示するための表示プログラム及び表示データを記憶する実行用プログラム領域、データ領域と前記編集装置から送信された表示プログラム及び表示データを記憶する一時格納用プログラム領域、データ領域に分割し、編集装置から送信された表示プログラム及び表示データを一時格納用領域に記憶させておき実行用プログラム領域の表示プログラム終了時に一時格納領域から実行用領域に移動させることにより表示プログラム及び表示データが更新を行うようにしたことにより、表示プログラム実行中に表示プログラムあるいは表示データの送信を行っても表示部の表示を中断することなく更新作業を行うことができる。
【００３０】
以上のように表示プログラム更新等のメンテナンス性を向上させると共にコストを削減した表示装置を提供できる。
【図面の簡単な説明】
【図１】本発明の実施例に係わる説明図である。
【図２】本発明の実施例に係わるブロック図である。
【図３】本発明の実施例に係わるフローチャートである。
【符号の説明】
１  編集装置
２  通信回線
３  表示装置
４  表示部
５  送受信部
６  フラッシュメモリ
７  制御部
８  受信検出部
９  内部判別部
１０  比較部
１１  プログラム検出部
【図１】
0004468518.tif 000002
【図２】
0004468518.tif 000003
【図３】
0004468518.tif 000004